(57)【要約】【課題】本考案は、簡略安価な構成で実際のゴルフ場のコースで直面する態様に応じた練習を可能とするゴルフスイング練習具を提供する。【解決手段】本考案のゴルフスイング練習具１は、一端２ａ側を高く、他端２ｂ側を低く、上面を斜面として形成した発泡材からなる直方体状の基台２と、この基台２の上面に貼着した人口芝材５とを備え、基台２の打球方向に関する配置変更により、左足下がり、左足上がり、つま先下がり、つま先上がりの各態様でゴルフスイングの練習又はゴルフボールの打撃練習を可能とるものである。【選択図】図１
0003102005.tif 000002
【実用新案登録請求の範囲】
【請求項１】
一端側を高く、他端側を低く、上面を斜面として形成した基台と、この基台の上面に貼着した芝材とを備えたことを特徴とするゴルフスイング練習具。
【請求項２】
一端側を高く、他端側を低く、上面を斜面として形成した発泡材からなる直方体状の基台と、この基台の上面に貼着した人口芝材とを備え、
基台の打球方向に関する配置変更により、左足下がり、左足上がり、つま先下がり、つま先上がりの各態様でゴルフスイングの練習又はゴルフボールの打撃練習を可能としたことを特徴とするゴルフスイング練習具。
【請求項３】
前記基台の一端側を底として立てて収納可能としたことを特徴とする請求項１又は２記載のゴルフスイング練習具。
【請求項４】
一端側を高く、他端側を低く、上面を斜面又は湾曲面として形成した直方体状の基台と、この基台の上面に貼着した人口芝材と、前記人口芝材を貼着した斜面又は湾曲面領域の任意の位置に設けたカップ部とを備え、
前記斜面又は湾曲面を呈する上面上でパター練習を可能としたことを特徴とするパター練習具。
【請求項５】
前記基台の一端側を底として立てて収納可能としたことを特徴とする請求項４記載のパター練習具。
【考案の詳細な説明】
【技術分野】
【０００１】
本考案は、ゴルフ練習場、宅地の庭等々に設置して好適なゴルフスイング練習具及びパター練習具に関するものである。
【背景技術】
【０００２】
ゴルフ練習場等でゴルフのスイング練習を行う場合、通常ゴルフ練習場等の足場は平坦に形成されているので、実際のゴルフ場のコースで直面する左足下がり、左足上がり、つま先下がり、つま先上がり等の各態様に即した打撃練習ができないのが実情である。
【０００３】
特許文献１には、台座上に自在傾斜機構を介してゴルフボールを載せる練習台を支持し、自在傾斜機構の動作で前記練習台の傾斜を自在に調整するようにしたゴルフ練習機がが提案されている。
【０００４】
しかし、この特許文献１のゴルフ練習機の場合、自在継手や歯車機構を備えた複雑な構成であり、当然重量も重く、低価格に構成できず、収納にも不便を来すという問題があった。
【特許文献１】特開平１１−２９９９５３号公報
【考案の開示】
【考案が解決しようとする課題】
【０００５】
解決しようとする問題点は、簡略、安価な構成で、且つ、実際のゴルフ場のコースで直面する種々の態様に応じたスイング練習を可能とするゴルフ練習具が存在しない点である。
【課題を解決するための手段】
【０００６】
本考案は、一端側を高くし、他端側を低くし、上面を斜面として形成した基台と、この基台の上面に貼着した芝材とを備えたことことを最も主要な特徴とする。
【考案の効果】
【０００７】
請求項１、２記載の考案によれば、簡略安価で、且つ、軽量な構成でありながら実際のゴルフ場のコースで直面する種々の態様に応じたスイング又は打撃練習が可能となる。
【０００８】
請求項３記載の考案によれば、基台の一端側を底として立てて収納することにより、このゴルフ練習具の収納時の省スペース化を図ることができる。
【０００９】
請求項４記載の考案によれば、簡略安価で、且つ、軽量な構成でありながら基台の上面に貼着した人口芝上に形成される斜面又は湾曲面上で、カップ部に向けてゴルフボールをバッティングするというパター練習を行うことができるパター練習具を提供できる。
【００１０】
請求項５記載の考案によれば、基台の一端側を底として立てて収納することにより、このパター練習具の収納時の省スペース化を図ることができる。
【考案を実施するための最良の形態】
【００１１】
簡略安価な構成で実際のゴルフ場のコースで直面する態様に応じた練習を可能とする目的を、一端側を高く、他端側を低く、上面を斜面として形成した発泡材からなる直方体状の基台と、この基台の上面に貼着した人口芝材とを備え、基台の打球方向に関する配置変更により、左足下がり、左足上がり、つま先下がり、つま先上がりの各態様でゴルフスイングの練習又はゴルフボールの打撃練習を可能とることにより実現した。
【実施例】
【００１２】
以下に、本考案の実施例を詳細に説明する。
図１は本考案の実施例のゴルフスイング練習具１を示すものであり、このゴルフスイング練習具１は、一端２ａ側を高く、他端２ｂ側を低く形成した例えば直方体状で発泡スチロール等の発泡材からなる基台２と、基台２の上面全体に貼着した芝材、例えば人口芝材５とを備えて構成されている。
その変形例としては、一端２ａ側を高く、他端２ｂ側を低く形成した例えば直方体状で発泡スチロール等の発泡材からなる枠体３と、枠体３の上面に傾斜配置に載置した発泡スチロール等の発泡材からなる天板４と、を有する基台２と、前記天板４の上面全体に貼着した芝材、例えば人口芝材５とを備えて構成し、枠体３の外周部に例えば緑色の着色を施してゴルフスイング練習具１を形成しても良い。
【００１３】
次に、図２乃至図５を参照して、本実施例のゴルフスイング練習具１のゴルフ練習場等における使用態様について説明する。
【００１４】
図２は、ゴルフボールＢ（ボールＢを実際に置いても置かなくても良い）の打球方向（矢印で示す）に関して、一端２ａ側を後方にし、他端２ｂ側を前方になるようにゴルフスイング練習具１を配置してスイング練習又は打撃練習を行う場合を示すものである。
この場合には、練習者は実際のゴルフ場のコースで直面するような左足Ｌが右足Ｒより下がった左足下がりの態様で、スイング練習又は打撃練習を行うことができる。尚、左利きの練習者の場合には、右足下がりの態様となる。
【００１５】
図３は、ゴルフボールＢ（ボールＢを実際に置いても置かなくても良い）の打球方向（矢印で示す）に関して、一端２ａ側を前方にし、他端２ｂ側を後方になるようにゴルフスイング練習具１を配置してスイング練習又は打撃練習を行う場合を示すものである。
この場合には、練習者は実際のゴルフ場のコースで直面するような左足Ｌが右足Ｒより上がった左足上がりの態様で、スイング練習又は打撃練習を行うことができる。尚、左利きの練習者の場合には、右足上がりの態様となる。
【００１６】
図４は、ゴルフボールＢ（ボールＢを実際に置いても置かなくても良い）の打球方向（紙面裏面へ向かう方向）に関して、一端２ａ側を図４において左側にし、他端２ｂ側を図４において右側になるようにゴルフスイング練習具１を配置したものである。
この場合には、練習者はゴルフボールＢの打球方向と同方向に両足を配置して、つま先下がりの態様でスイング練習又は打撃練習を行うことができる。
【００１７】
図５は、ゴルフボールＢ（ボールＢを実際に置いても置かなくても良い）の打球方向（紙面裏面へ向かう方向）に関して、一端２ａ側を図４において右側にし、他端２ｂ側を図４において左側になるようにゴルフスイング練習具１を配置したものである。
この場合には、練習者はゴルフボールＢの打球方向と同方向に両足を配置して、つま先上がりの態様でスイング練習又は打撃練習を行うことができる。
【００１８】
上述したように、本実施例のゴルフスイング練習具１によれば、基台２の打球方向に関する配置変更により、左足下がり、左足上がり、つま先下がり、つま先上がりの各態様でゴルフスイングの練習又はゴルフボールＢの打撃練習を行うことができ、実際のゴルフ場のコースで直面する各態様に即した効果的な練習を実現できる。
【００１９】
図６は本実施例のゴルフスイング練習具１の収納時の状態を示すもので、発泡スチロール材からなる軽量なゴルフスイング練習具１、１、・・を各々一端２ａ側を底として立てた状態で次々と所定の場所に収納することができ、これにより、収納作業の簡略化、収納場所の省スペース化を図ることができる。
【００２０】
図７は本考案の実施例のパター練習具１０を示すもので、パター練習具１０は、前記ゴルフスイング練習具１の構成に加えて、基台２の人口芝材５を貼着した斜面を呈する上面領域の任意の位置に、ゴルフボールＢが没入可能なカップ部１１を設けたことが特徴である。
【００２１】
このパター練習具１０によれば、前記カップ部１１の基台２上での形成位置の選定により、図８に示すような上り斜面でのパター練習、図９に示すような下り斜面でのパター練習を各々行うことができる。
本考案においては、前記カップ部１１を基台２上の任意の位置に選定し形成できるので、図８、図９以外にも、各種斜面でのパター練習を行うことができる。
【００２２】
また、図１０に示すように、前記パター練習具１０と同様な構成で、且つ、上面領域を単純な斜面でなく湾曲面１２としたパター練習具１０Ａを構成することもでき、この場合には実際のゴルフ場のクリーン上でも直面する湾曲面に応じたパター練習を行うことができる。
【００２３】
前記パター練習具１０、１０Ａの場合も、各々基台２の一端２ａ側を底として立てた状態で次々と所定の場所に収納することができ、これにより、収納作業の簡略化、収納場所の省スペース化を図ることができる。
【産業上の利用可能性】
【００２４】
本考案は、ゴルフ練習場の打球領域に設置して好適であるとともに、個人住宅の庭、屋上等々に設置して、ゴルフスイング練習したり、又はパター練習をする場合にも適用できる。
【図面の簡単な説明】
【００２５】
【図１】本考案の実施例のゴルフスイング練習具の斜視図である。
【図２】本考案の実施例のゴルフスイング練習具の左足下がりの使用状態の説明図である。
【図３】本考案の実施例のゴルフスイング練習具の左足上がりの使用状態の説明図である。
【図４】本考案の実施例のゴルフスイング練習具のつま先下がりの使用状態の説明図である。
【図５】本考案の実施例のゴルフスイング練習具のつま先上がりの使用状態の説明図である。
【図６】本考案の実施例のゴルフスイング練習具の収納状態を示す側面図である。
【図７】本考案の実施例のパター練習具の斜視図である。
【図８】本考案の実施例のパター練習具の上り斜面での使用状態を示す側面図である。
【図９】本考案の実施例のパター練習具の下り斜面での使用状態を示す側面図である。
【図１０】本考案の実施例のパター練習具の他例を示す側面図である。
【符号の説明】
【００２６】
１    ゴルフスイング練習具
２    基台
２ａ  一端
２ｂ  他端
３    枠体
４    天板
５    人口芝材
１０    パター練習具
１０Ａ  パター練習具
１１    カップ部
１２    湾曲面
Ｂ    ゴルフボール
Ｌ    左足
Ｒ    右足
【図１】
0003102005.tif 000003
【図２】
0003102005.tif 000004
【図３】
0003102005.tif 000005
【図４】
0003102005.tif 000006
【図５】
0003102005.tif 000007
【図６】
0003102005.tif 000008
【図７】
0003102005.tif 000009
【図８】
0003102005.tif 000010
【図９】
0003102005.tif 000011
【図１０】
0003102005.tif 000012